(57)【要約】【課題】  収納可能な原稿載置トレイを備えた原稿送り装置を小型化、薄型化し、原稿排出トレイ部の視認性を妨げない原稿送り装置を提供する。【解決手段】  本発明の原稿送り装置１０は、給紙機構を収容する筐体と、原稿を載置する原稿載置トレイ３０と、原稿を回収する原稿排出トレイ４０を備え、筐体は、上部カバー２０と、該上部カバー２０に設けられた第１凸部２１を有し、原稿載置トレイ３０は、係合部３１と開口部３２を有し、原稿排出トレイ４０側に開かれた第１位置と、上部カバー２０側に閉じられた第２位置との間で、筐体に係合部３１を支点として揺動可能に係合されており、開口部３２は、第２位置のとき、第１凸部２１に配置されることを特徴とする。【選択図】  図２
2020005308.tif 000002
【特許請求の範囲】
【請求項１】
給紙機構を収容する筐体と、原稿を載置する原稿載置トレイと、原稿を回収する原稿排出トレイを備えた原稿送り装置であって、
前記筐体は、上部カバーと、当該上部カバーに設けられた第１凸部を有し、
前記原稿載置トレイは、係合部およびガイドリブを有し、前記原稿排出トレイ側に開かれた第１位置と、前記上部カバー側に閉じられた第２位置との間で、前記筐体に前記係合部を支点として揺動可能に係合されており、
前記筐体は、前記原稿載置トレイが前記第２位置のとき、前記原稿載置トレイと隣接する第２凸部をさらに有し、
前記ガイドリブは、前記原稿載置トレイが前記第１位置のときに、前記原稿載置トレイの原稿送り方向の下流側の端部であり、且つ前記原稿載置トレイの前記原稿送り方向に垂直な方向の幅と同じ幅であり、載置された前記原稿と接触し、前記原稿載置トレイが前記第２位置のときに、前記第１凸部に対向する位置に配置されていないことを特徴とする原稿送り装置。
【請求項２】
前記原稿排出トレイに前記原稿を排出する排出口をさらに備え、
前記排出口は、前記原稿載置トレイが前記第１位置または前記第２位置にあるとき、解放されることを特徴とする請求項１に記載の原稿送り装置。
【請求項３】
請求項１または請求項２に記載の原稿送り装置を備えたことを特徴とする画像形成装置。
【発明の詳細な説明】
【技術分野】
【０００１】
本発明は、複写機、複合機、ファクシミリ装置などの画像形成装置に備えられる原稿送り装置、および原稿送り装置を備えた画像形成装置に関するものである。
【背景技術】
【０００２】
従来では、特許文献１の給送装置２００のように、原稿読み取り装置等において原稿を給送するための給送装置が設けられていた。特許文献１の給送装置２００は、用紙サポート部２０１と、カバー部２０２と、排出トレイ部２０３を備えている。図５は、給送装置２００のカバー部２０２が開いた状態の斜視図を示す。また、図６はカバー部２０２が開いた状態の側断面図を示し、図７はカバー部２０２が閉じた状態の側断面図を示す。
【０００３】
図５〜７に示すように、特許文献１の給送装置２００は、カバー部２０２を開閉することによって、用紙サポート部２０１及び排出トレイ部２０３を連動させて変移させることができる。そして、カバー部２０２を開いた状態から閉じた状態にすることにより、用紙サポート部２０１を図６の「使用時ポジション」から図７の「収納時ポジション」に変移させることができる。
【０００４】
このため、特許文献１の給送装置２００によれば、不使用時であるカバー部２０２が閉じた状態における無駄なスペースを省くことができ、給送装置２００全体を小型化、薄型化することができる。
【先行技術文献】
【特許文献】
【０００５】
【特許文献１】特開２０１０−２４５６２４号公報
【発明の概要】
【発明が解決しようとする課題】
【０００６】
しかしながら、特許文献１の給送装置２００は、用紙サポート部２０１を筐体内部に収納可能とするためには、用紙サポート部２０１を原稿サイズに対して充分な大きさにすることができなかった。このため、図６の「使用時ポジション」において、サイズの大きい原稿を載置した場合に、原稿後端側がカバー部２０２の内側に垂れ下がり、用紙サポート部２０１に対して原稿が浮き上がり易くなることで、給送時に紙詰まりが発生する問題があった。また、図６に示す「使用時ポジション」において、カバー部２０２が排出トレイ部２０３に排出された原稿を覆うため、排出トレイ部２０３の原稿を取り忘れる問題があった。
【０００７】
本発明は、上記課題に鑑み成されたものであり、収納可能な原稿載置トレイを備えた原稿送り装置を小型化、薄型化し、原稿排出トレイ部の視認性を妨げない原稿送り装置を提供する。
【課題を解決するための手段】
【０００８】
上記課題を解決するため、本発明の原稿送り装置は、給紙機構を収容する筐体と、原稿を載置する原稿載置トレイと、原稿を回収する原稿排出トレイを備え、筐体は、上部カバーと、当該上部カバーに設けられた第１凸部を有し、原稿載置トレイは、係合部およびガイドリブを有し、原稿排出トレイ側に開かれた第１位置と、上部カバー側に閉じられた第２位置との間で、筐体に係合部を支点として揺動可能に係合されており、筐体は、原稿載置トレイが第２位置のとき、原稿載置トレイと隣接する第２凸部をさらに有し、ガイドリブは、原稿載置トレイが第１位置のときに、原稿載置トレイの原稿送り方向の下流側の端部であり、且つ原稿載置トレイの原稿送り方向に垂直な方向の幅と同じ幅であり、載置された原稿と接触し、原稿載置トレイが第２位置のときに、第１凸部に対向する位置に配置されていないことを特徴とする。
【０００９】
また、原稿排出トレイに原稿を排出する排出口をさらに備え、排出口は、原稿載置トレイが第１位置または第２位置にあるとき、解放されることを特徴とする。
【００１０】
本発明の画像形成装置は、上記のいずれかに記載の原稿送り装置を備えたことを特徴とする。
【発明の効果】
【００１１】
本発明の原稿送り装置によれば、収納可能な原稿載置トレイを備えた原稿送り装置を小型化、薄型化することができ、原稿載置トレイによる原稿排出トレイ部の視認性の低下を防止することができる。
【図面の簡単な説明】
【００１２】
【図１】本発明の実施形態に係る原稿送り装置を備えた画像形成装置の斜視図である。
【図２】本発明の実施形態に係る原稿送り装置の斜視図である。
【図３】原稿載置トレイを開いた第１位置を示す側面断面図である。
【図４】原稿載置トレイを閉じた第２位置を示す側面断面図である。
【図５】従来の給送装置の斜視図である。
【図６】従来の給送装置の「使用時ポジション」を示す側面断面図である。
【図７】従来の給送装置の「収納時ポジション」を示す側面断面図である。
【発明を実施するための形態】
【００１３】
以下、本発明の最良の実施形態に係る原稿送り装置及び画像形成装置を、図面を参照にしつつ詳細に説明する。なお、本発明の図面において、同一部分または相当部分は同一の参照符号で表わすものとする。
【００１４】
図１は、本発明の実施形態に係る原稿送り装置１０を備えた画像形成装置１００の外観図である。画像形成装置１００は、コピーモード、ファクシミリモード、スキャナモード及びプリンタモードを選択的に行う。コピーモードでは、原稿から読み取った画像を記録用紙に印刷する。ファクシミリモードでは、原稿から読み取った画像を公衆回線を介して送信し、公衆回線を介して受信した画像を記録用紙に印刷する。スキャナモードでは、原稿から読み取った画像を外部の情報端末装置に出力する。プリンタモードでは、情報端末装置からネットワークを介して入力された画像を記録用紙に印刷する。
【００１５】
画像形成装置１００は、原稿送り装置１０、スキャナユニット１１２、画像形成ユニット１１３、給紙カセット１１４、排紙トレイ１１５等を備えている。
【００１６】
スキャナユニット１１２は、原稿読取装置であり、内部に画像読取部（図示せず）を備え、上側に原稿送り装置１０を装着している。原稿送り装置１０は、原稿載置トレイ３０及び原稿排出トレイ４０を備え、コピーモード時、ファクシミリモード時及びスキャナモード時に、原稿載置トレイ３０に載置されたシート状の原稿を給紙し、スキャナユニット１１２の画像読取部を経由して原稿排出トレイ４０に排出する。スキャナユニット１１２は、画像読取部で原稿の画像を読み取る。
【００１７】
画像形成ユニット１１３は、内部に画像形成部（図示せず）を備え、給紙カセット１１４、排紙トレイ１１５等を備えている。画像形成ユニット１１３は、給紙カセット１１４から給紙された記録用紙に画像形成部で画像を形成し、排紙トレイ１１５に排出する。
【００１８】
図２は、本発明の実施形態に係る原稿送り装置１０の斜視図である。原稿送り装置１０は、筐体の一部を構成する上部カバー２０、上部カバー２０に設けられた第１凸部２１、原稿を載置するための原稿載置トレイ３０、原稿載置トレイ３０に設けられた開口部３２、原稿の載置位置を調整する調整ガイド４１、読取済みの原稿を回収するための原稿排出トレイ４０を備えている。
【００１９】
図３は、原稿送り装置１０の原稿載置トレイ３０を開いた第１位置を示す側面断面図であり、図４は、原稿送り装置１０の原稿載置トレイ３０を閉じた第２位置を示す側面断面図である。
【００２０】
上部カバー２０は、筐体に収容されている給紙機構の給紙ローラ５２やピックアップローラ５１の上部を開閉自在に被覆する。給紙ローラ５２やピックアップローラ５１は、原稿の載置枚数が多いときに備えて原稿送り装置１０の高い位置に設けられている。
【００２１】
このため、給紙ローラ５２、または、ピックアップローラ５１の少なくとも一方を、上部カバー２０に設けられた第１凸部２１の下方に位置するように収容することで、第１凸部２１以外の部分の高さを低く抑えられるので、原稿送り装置１０を小型化することができる。
【００２２】
原稿載置トレイ３０は、端部に設けられた軸部または穴部で構成される係合部３１と、原稿を載置する部分に設けられた開口部３２を有している。また、原稿送り装置１０の筐体に係合部３１を支点にして揺動可能に係合されている。このため、原稿載置トレイ３０は、筐体に対して開閉することにより、図３の第１位置と図４の第２位置との間に変位することができる。
【００２３】
図３に示すように、原稿送り装置１０の使用時には、原稿載置トレイ３０を開いた第１位置にして、原稿載置トレイ３０に原稿を載置する。原稿載置トレイ３０に載置された原稿は、ピックアップローラ５１と給紙ローラ５２によって、給紙口４２から原稿読取部４６に繰り出され、原稿読取部４６で読み取られた後、排紙口４７から排出され原稿排出トレイ４０に回収される。
【００２４】
図３に示すように、原稿載置トレイ３０を開いた第１位置にすると、原稿載置トレイ３０に設けられた開口部３２は、原稿排出トレイ４０の上に配置されるようになっており、開口部３２から原稿排出トレイ４０に回収された原稿を視認することが可能となっている。このため、原稿排出トレイ４０に回収された原稿の取り忘れを防止することができる。
【００２５】
図４に示すように、原稿送り装置１０の使用後は、原稿載置トレイ３０を閉じた第２位置にして、原稿載置トレイ３０を上部カバー２０の上に折り重ねて収納する。このとき、原稿載置トレイ３０の開口部３２は、上部カバー２０の第１凸部２１の位置に配置されるようになっている。
【００２６】
図４に示すように、上部カバー２０の第１凸部２１の高さと、原稿載置トレイ３０の厚みは、同程度に形成されている。このため、原稿載置トレイ３０が上部カバー２０の上に折り重なったとき、原稿載置トレイ３０と上部カバー２０の第１凸部２１を略平面とすることができ、原稿送り装置１０の高さを変えないため、原稿載置トレイ３０を第２位置に収納した状態でも原稿送り装置１０を小型化することができる。
【００２７】
また、原稿載置トレイ３０を筐体内に収納するものではないので、原稿サイズに適した載置面積を原稿載置トレイ３０に自由に設定することができる。
【００２８】
以上、本発明の原稿送り装置１０の主要構成について説明したが、さらに好ましい形態として、以下の構成を適宜組合せることも可能である。
【００２９】
図２に示すように、原稿送り装置１０は、上部カバー２０の第１凸部２１と、原稿載置トレイ３０の開口部３２と、原稿排出トレイ４０とが、原稿送り方向６０に対して略平行となるように配置されているが、より最適には、それぞれの中心軸を同一直線状に揃えることが好ましい。このような構成とすることにより、原稿排出トレイ４０に排出された各種サイズの原稿を開口部３２から視認することができるため、原稿排出トレイ４０からの原稿の取り忘れを確実に防止することができる。
【００３０】
また、本発明の原稿送り装置１０は、原稿載置トレイ３０を閉じたときに、原稿載置トレイ３０の周辺部も含め全体が略平面となることが好ましい。このため、図２に示すように、筐体または上部カバー２０に、原稿載置トレイ３０の周辺部と隣接する第２凸部２２を形成しても良い。第２凸部２２を設けることにより、原稿載置トレイ３０が閉じられたときに原稿送り装置１０の上面一体が略平面となるため、原稿送り装置１０のデザインが損なわれることを防止できる。
【００３１】
また、第１凸部２１は、原稿載置トレイ３０の開閉に関わらず、常時外部に露出する部分であるため、第１凸部２１の上面に原稿送り装置１０と関連する文字、記号、図などを表示することにより、宣伝効果をもたらすことができる。
【００３２】
例えば、会社のロゴや、原稿送り装置の図、原稿送り装置を示すADFという記号等を表示することにより、第１凸部２１のスペースを有効に活用することができる。
【００３３】
また、第１凸部２１や第２凸部２２以外の凹部は、原稿載置トレイ３０が開かれたときに露出し、原稿載置トレイ３０が閉じられたときに覆われる。このため、これらの部分に、原稿のサイズ毎の載置位置を示す指示部６１や、原稿の先端位置を確認するための開放部６２を設けても良い。
【００３４】
原稿送り装置１０の使用時には、原稿載置トレイ３０が開かれて指示部６１や開放部６２が現れることにより、原稿送り装置１０の操作性を向上させることができる。また、不使用時には原稿載置トレイ３０が閉じられて指示部６１や開放部６２が隠されることにより、原稿送り装置１０の見栄えを良くすることができる。
【００３５】
また、筐体側の凹部と同様に、原稿載置トレイ３０の内面に上記指示部６１を設けることも可能である。
【符号の説明】
【００３６】
１０  原稿送り装置
２０  上部カバー
２１  第１凸部
２２  第２凸部
３０  原稿載置トレイ
３１  係合部
３２  開口部
４０  原稿排出トレイ
４１  調整ガイド
４２  給紙口
４６  原稿読取部
４７  排紙口
５１  ピックアップローラ
５２  給紙ローラ
６０  原稿送り方向
６１  指示部
６２  開放部
１００  画像形成装置
１１２  スキャナユニット
１１３  画像形成ユニット
１１４  給紙カセット
１１５  排紙トレイ
２００  給送装置
２０１  用紙サポート部
２０２  カバー部
２０３  排出トレイ部
２０４  送りローラ
【図１】
2020005308.tif 000003
【図２】
2020005308.tif 000004
【図３】
2020005308.tif 000005
【図４】
2020005308.tif 000006
【図５】
2020005308.tif 000007
【図６】
2020005308.tif 000008
【図７】
2020005308.tif 000009